(57)【要約】      （修正有）【課題】石鹸を安定的に保持でき、石鹸の形状が徐々に変化しても、安定的な保持を持続できる石鹸保持具を提供する。【解決手段】２つの挟持部２００と連結部１００から成り、連結部１００は、長板状であり、両端部に挟持部２００を配置し、長手方向に伸縮可能であり、２つの挟持部２００は、先端が互いの挟持部２００方向に起立した突起部２２０を持ち、突起部２２０は固形石鹸の側面に当接する。【選択図】図１
0003208983.tif 000002
【実用新案登録請求の範囲】
【請求項１】
固形石鹸を保持する保持具であって、
一の連結部と、二つの挟持部と、から成り、
該連結部は、長板状であって両端に挟持部が配置されると共に長手方向に伸縮可能となっており、
該二つの挟持部は、先端が互いの挟持部方向に起立した突起部を備えると共に該突起部が固形石鹸の側面に当接されることを特徴とする石鹸保持具。
【請求項２】
前記挟持部が、石鹸を挟む方向に付勢されて成ることを特徴とする請求項１に記載の石鹸保持具。
【請求項３】
前記挟持部が、弾性体により形成されて成ることを特徴とする請求項１又は請求項２に記載の石鹸保持具。
【請求項４】
前記二つの挟持部に対して少なくとも１つの輪ゴムがかけられ、各挟持部には輪ゴムのズレを防止する凹部が設けられていることを特徴とする請求項１から請求項３のいずれかに記載の石鹸保持具。
【請求項５】
前記連結部と挟持部の接続部分が、回動可能な回転部によって構成されていることを特徴とする請求項１から請求項４のいずれかに記載の石鹸保持具。 
【請求項６】
前記連結部に、長手方向の２点で固定された取手部が装備されて成ることを特徴とする請求項１から請求項５のいずれかに記載の石鹸保持具。 
【考案の詳細な説明】
【技術分野】
【０００１】
本考案は、固形石鹸の保持具に関し、詳しくは、固形石鹸を安定的に保持する技術に関する。
【背景技術】
【０００２】
近年、洗浄剤として、液体、顆粒タイプ等、色々な形態の製品が利用されているが、固形石鹸を利用する場合も多い。固形石鹸は、洗浄剤を直方体や円柱の形に固めたものである。液体、顆粒タイプは、防湿等のため、ケース、箱に入れるような管理が必要であるが、固形石鹸は、露出した状態で放置しても劣化が少なく管理面で便利である。
【０００３】
固形石鹸は、使用時に、洗浄の対象や、洗浄用タオルに、固形石鹸の面を擦りつけることで、洗浄剤を少しづつ、対象物等に塗布する方法が一般的である。その際、固形石鹸を手に持ち、対象物等に擦りつけることとなるが、固形石鹸自体が滑りやすい。そのため、注意を払わないと、固形石鹸を滑り落としてしまう場合もあった。
また、固形石鹸は、使用によって表面が削られ、形状が徐々に変化する。そのため、固形石鹸の持ち方も変化させなければならず、不便であった。
【０００４】
これらの問題を解消するために、石鹸を安定的に保持でき、石鹸の形状が徐々に変化しても、安定的な保持を持続できる技術が求められていた。
【０００５】
このような問題に対して、従来からも様々な技術が提案されている。例えば、固形石鹸を使用開始時と同程度の洗浄力を保ったまま最後まで使い切る技術（特許文献１参照）が提案され、公知技術となっている。より詳しくは、板体が、石鹸における厚み方向に対向する２つの面に装着され、石鹸における厚み方向に対向する２つの面の中央の表層部分を水により溶かし、水により溶かした表層部分に当該板体の裏面を貼り合わせ、当該表層部分と当該板体の裏面との間の水溶液を乾かすことによって、板体と装着対象の固形石鹸と一体化するものである。
【０００６】
この技術により、石鹸の表面に板体が装着されているので、石鹸使用時に石鹸のすべりを防止することができる。しかしながら、使用により石鹸が小さくなると、板体の端部が石鹸よりも突出し、石鹸を洗浄対象物に塗布しにくくなってしまう。そのため、この技術では石鹸の形状の変化に対応できない。よって、石鹸を安定的に保持でき、石鹸の形状が徐々に変化しても、安定的な保持を持続できるという前記課題の解決には至っていない。
【０００７】
また、把持するに適当な大きさのホルダー本体の一面に、湿潤状態にある固型石けんの表層部に喰い込みが可能な程度の硬さを持つプラスチツク糸から構成されたアンカー部付刺状部の多数を、分散突設してなる固型石けんホルダー（特許文献２参照）が提案され、公知技術となっている。
【０００８】
この技術により、石鹸の表面にホルダの一部である突起を食い込ませることで、ホルダと石鹸を一体化し、石鹸使用時に石鹸のすべりを防止することができる。しかしながら、石鹸の形状が変化すると、突起と石鹸の関係が変化し、ホルダと石鹸との一体化が困難になりやすい。そのため、この技術では石鹸の形状の変化に対応できない。よって、前記課題の解決には至っていない。
【０００９】
また、石鹸の一面に冠せるハンドルカバー内面に薄板又は細い針金を２〜５ｍｍ位の高さに多数適当な間隔を置いて植付け（又は突出）させてこの板針群内に石鹸の一面を押込んで石鹸の支持体とする技術（特許文献３参照）が提案され、公知技術となっている。
【００１０】
この技術により、石鹸の一面に複数の突起を挿入し石鹸と一体となったハンドルカバーとし、手をかける２つの起立部分を持つことで、安定して石鹸を保持できる。しかしながら、石鹸の形状が変化すると、突起である板針群と石鹸の関係が変化し、ホルダと石鹸との一体化が困難になりやすい。また、手をかける突起は、滑った場合に、離れやすく石鹸の快適な使用とはならない。よって、前記課題の解決には至っていない。
【００１１】
本出願人は、石鹸の使用態様に着目し、石鹸を安定的に保持でき且つその安定的な保持を持続することで石鹸が手から滑り落ちることなく快適に使用することができないものかとの着想の下、固形石鹸の側面に当接する突起部を有した挟持部が連結部の両端に備えられた保持具を開発し、本考案にかかる「石鹸保持具」の提案に至るものである。
【先行技術文献】
【特許文献】
【００１２】
【特許文献１】特開２０１４−１０８２９３号
【特許文献２】実開昭６２−４１３９１号
【特許文献３】実開昭５９−１６４９３号
【考案の概要】
【考案が解決しようとする課題】
【００１３】
本考案は、上記問題点に鑑み、石鹸の形状が徐々に変化した際でも、石鹸を安定且つ持続して保持可能であって、手から滑り落ちることなく快適に使用することが可能な石鹸保持具を提供することを課題とするものである。
【課題を解決するための手段】
【００１４】
上記課題を解決するため、本考案は、固形石鹸を保持する保持具であって、一の連結部と二つの挟持部とから成り、該連結部は、長板状であって両端に挟持部が配置されると共に長手方向に伸縮可能となっており、該二つの挟持部は、先端が互いの挟持部方向に起立した突起部を備えると共に該突起部が固形石鹸の側面に当接される手段を採用する。
【００１５】
また、本考案は、前記挟持部が、石鹸を挟む方向に付勢されて成る手段を採用し得る。
【００１６】
さらに、本考案は、前記挟持部が、弾性体により形成されて成る手段を採用し得る。
【００１７】
またさらに、本考案は、前記二つの挟持部に対して少なくとも１つの輪ゴムがかけられ、各挟持部には輪ゴムのズレを防止する凹部が設けられている手段を採用し得る。
【００１８】
さらにまた、本考案は、前記連結部と挟持部の接続部分が、回動可能な回転部によって構成されている手段を採用し得る。 
【００１９】
そしてまた、本考案は、前記連結部に、長手方向の２点で固定された取手部が装備されて成る手段を採用し得る。 
【考案の効果】
【００２０】
本考案に係る石鹸保持具によれば、使用者は、固形石鹸に対し簡単に装着できると共に、固形石鹸を滑り落とすことなく、快適に使用することが可能になる、といった優れた効果を奏するものである。
【００２１】
また、本考案に係る石鹸保持具によれば、使用を続けることで石鹸が小さくなっても、快適に使用する効果を持続することが可能である、といった優れた効果を発揮するものである。
【図面の簡単な説明】
【００２２】
【図１】本考案に係る石鹸保持具の実施例の全体斜視図である。
【図２】本考案に係る石鹸保持具を石鹸に装着する手順を説明する模式図である。
【図３】本考案に係る石鹸保持具の他の実施例である取手をもつ例の側面図である。
【図４】本考案に係る石鹸保持具の他の実施例である挟持部に弾性を持つ例の説明図である。
【図５】本考案に係る石鹸保持具の他の実施例である挟持部が折り畳み可能な例の説明図である。
【考案を実施するための形態】
【００２３】
本考案に係る石鹸保持具は、一の連結部と二つの挟持部とから成り、該連結部は、長板状であって両端に挟持部が配置されると共に長手方向に伸縮可能となっており、該二つの挟持部は、先端が互いの挟持部方向に起立した突起部を備えると共に該突起部が固形石鹸の側面に当接されることで、固形石鹸を滑り落とすことなく、快適に使用することが可能になることを最大の特徴とする。
以下、本考案に係る石鹸保持具の実施形態を、図面に基づいて説明する。
【００２４】
なお、本実施例で示される石鹸保持具の全体形状及び各部の形状は、下記に述べる実施例に限定されるものではなく、本考案の技術的思想の範囲内、即ち、同一の作用効果を発揮できる形状や寸法等の範囲内で、適宜変更することができるものである。
【実施例１】
【００２５】
図１、図２に沿って、本実施例に係る石鹸保持具１を説明する。図１（ａ）は、本実施例の全体斜視図を示し、図１（ｂ）は石鹸５００を保持した場合の斜視図を示すものである。図２（ａ）から（ｄ）は、本実施例の石鹸保持具１に石鹸５００を装着する手順を示すものである。
【００２６】
本実施例に係る石鹸保持具１は、石鹸５００を側面から挟むように保持することができる器具であり、石鹸５００の形状の変化に対応できる構造である。部材は樹脂等の軽量のものが用いられる。軽量であり、石鹸５００を保持した状態で無用の変形が無い材質であれば、金属、セラミック等でも構わない。
【００２７】
石鹸保持具１は、連結部１００と挟持部２００とから構成されている。石鹸保持具１は、全体として細長い、コの字状の形状である。石鹸５００とは挟持部２００のみ当接し、連結部１００は、石鹸５００とは当接しない。
【００２８】
連結部１００は、全体として長板状であり、二つの板部１１０と、二つの板部１１０の重なり部分に位置する長さ調整部１２０から構成されている。二つの板部１１０は、長さ調整部１２０によって、一部が包まれ、板部１１０同士は、摺動する。板部１１０同士の重なり部分の長さを変化させることで、連結部１００の長手方向の長さを伸縮可能としている。連結部１００の長手方向の長さは、一般的な石鹸の大きさに調節可能である。また、使用による石鹸が小さくなった場合にも対応できるようにするため、例えば一般的な石鹸の大きさの半分程度の長さに調整可能となっている。
また、連結部１００の両端には、夫々挟持部２００が配置されている。
【００２９】
挟持部２００は、凹部２１０と突起部２２０を持つ。挟持部２００は、連結部１００の端部から起立する方向に配置されており、石鹸保持具１全体としては、略コの字型の構造となる。挟持部２００の長さは、例えば２〜３ｃｍ程度であり、石鹸５００を保持した際、石鹸５００と連結部１００の間に手Ｈが入る程度の長さである。
【００３０】
挟持部２００の端部には、突起部２２０が備えられている。突起部２２０は、石鹸５００に対して、滑ることなく当接する部分である。突起部２２０の形状は、ノコギリ状であり、石鹸５００に、突起部２２０の先端を食い込ませることで、石鹸５００を保持する（図１（ｂ））。石鹸５００に対して、滑ることなく接することができる形状であれば、他の形状でも構わない。例えば、突起部２２０全体が、細長いナイフのようでもいいし、細かな凸凹のある面構造でも良い。
【００３１】
挟持部２００の幅方向の側面には、凹部２１０が形成されている。該凹部２１０は、挟持部２００において、連結部１００よりも突起部２２０に近い箇所に形成されることが望ましい。該凹部２１０は、数ｍｍの窪みであり、幅方向に対に形成されている。２つの挟持部２００の凹部２１０を跨ぐように輪ゴム４００を掛けることで、挟持部２００同士が、石鹸５００を挟む方向に付勢を持つことができる。
【００３２】
次に、石鹸保持具１で石鹸５００を保持する手順について、図２に沿って説明する。
まず、石鹸保持具１の連結部１００の長さを、保持する石鹸５００の長さ（幅）に応じて調整する。調整は、長さ調整部１２０で重なる板部１１０の重なり量を調整することで行う（図２（ａ））。
【００３３】
次に、石鹸５００の側面に挟持部２００の突起部２２０を当てつつ、該突起部２２０の先端を石鹸５００に食い込ませる（図２（ｂ））。
【００３４】
次に、両方の挟持部２００を跨ぐように、輪ゴム４００を掛け、輪ゴム４００を凹部２１０に固定する（図２（ｃ））。輪ゴム４００によって、挟持部２００同士が石鹸５００方向に付勢を持つため、挟持部２００の突起部２２０は、より強い力で石鹸５００を押すこととなり、石鹸５００を安定的に保持できる。
【００３５】
次に、石鹸５００と連結部１００の間に手Ｈを入れ、石鹸５００による洗浄物への洗浄剤の塗布を行う（図２（ｄ））。図２（ｄ）では、親指を外に、他の４本の指を石鹸５００と連結部１００の間に入れる例としている。石鹸５００の大きさによって、指の配置は異なる。手Ｈが石鹸５００と連結部１００と挟持部２００に囲まれているので、手Ｈが滑って、石鹸５００を落としてしまうことは無い。また、手Ｈの一部は輪ゴム４００を介して石鹸５００と接触するので、輪ゴム４００の滑り止めの効果も発揮し、より、石鹸５００を安定して保持することができる。
【００３６】
このとき、石鹸５００は、使用により全体形状が徐々に変化することとなり、また、突起部２２０と接触する部分の形状も変化していく。しかし、輪ゴム４００によって、常に石鹸５００を挟む方向に常に付勢しているため、石鹸５００の変形に対して、常時安定して保持可能である。さらに、形状が極端に変化した場合にも、連結部１００の長さ調整部１２０で、長さを調整することで、常に石鹸５００の形状に対応した保持が可能である。
【００３７】
このように、本発明によれば、石鹸５００を安定的に保持できると共に、色々な石鹸５００に対して安定的な保持が可能であって、しかも、石鹸５００を挟む方向に付勢されていることで、使用により石鹸５００の形状が変化した場合にも、常に安定的な保持ができる、といった格段の効果を奏するものである。
【実施例２】
【００３８】
他の実施例について、図３を用いて説明する。実施例１と同様の部分は説明を省略する。図３は、本実施例についての側面図である。
実施例１により、安定して石鹸５００を保持できることとなるが、連結部１００が構造的に長板状であることから、石鹸５００の大きさによっては、手を入れにくい場合もあった。そのため、石鹸５００の大きさに寄らず、手Ｈを石鹸保持具１に入れやすい構造が求められていた。
【００３９】
実施例１の連結部１００の両端部付近に取手部３００の端部を設置する構造とする（図３）。連結部１００と石鹸５００は、より接近し、手Ｈは、連結部１００を介して、石鹸５００を保持する。取手部３００は、アーチ状や、コの字状であり、手Ｈを入れるのに十分な大きさのあるものである。
この構造とすることによって、石鹸保持具１を、より安定して持つことができるので、快適に使用することができる。
【実施例３】
【００４０】
他の実施例について、図４を用いて説明する。実施例１と同様の部分は説明を省略する。図４は、本実施例の石鹸保持具１を石鹸５００に装着する手順を説明する模式図である。
実施例１により、安定して石鹸５００を保持できることとなるが、輪ゴム４００が必須である。たまたま、輪ゴム４００が不足している場合もあるし、輪ゴム４００の装着が煩わしいと感じる場合もある。
そこで、輪ゴム４００等を用いず、石鹸５００を安定して保持する構造が求められていた。
【００４１】
挟持部２００は、板ばね状の弾性体であり、弾性力によって、石鹸５００を挟む方向に付勢が可能な形状である。例えば、図４（ａ）のように、挟持部２００の原型は、内側に巻いた形状で復元力のある材質でも良い。また、挟持部２００の一部のみに弾性力を持つ形状でも良い。
【００４２】
石鹸５００に装着する手順について、図４に沿って説明する。まず、石鹸保持具１の連結部１００の長さを、保持する石鹸５００の長さ（幅）に応じて調整する。調整は、長さ調整部１２０で重なる板部１１０の重なり量を調整することで行う（図４（ａ））。
【００４３】
次に、対向する挟持部２００の突起部２２０の間に石鹸５００を挟むように装着する（図４（ｂ））。
【００４４】
次に、石鹸５００と連結部１００の間に手Ｈを入れ、石鹸５００による洗浄物への洗浄剤の塗布を行う（図４（ｃ））。
【００４５】
この構造によって、輪ゴム４００を用いることなく、石鹸５００を安定して保持することができる。使用中に石鹸５００が変形等しても、挟持部２００の弾性によって、常に石鹸５００を挟む方向に付勢することから、石鹸保持具１から石鹸５００が脱落することが無い。
【実施例４】
【００４６】
他の実施例について、図５を用いて説明する。実施例１と同様の部分は説明を省略する。図５は、本実施例において石鹸５００を装着する手順を説明する模式図である。
実施例１により、安定して石鹸５００を保持できることとなるが、石鹸保持具１の形状は、略コの字型であることから、使用していない状態で、若干かさばることになる。特に、旅行や出張等で、石鹸保持具１のみを携行し、ホテルの石鹸５００に装着して使用するような場合、石鹸保持具１自体は、携行に適した形状であることが望まれる。
そのため、未使用時に、コンパクトになる石鹸保持具１が求められていた。
【００４７】
連結部１００と挟持部２００の接続部分は、回転部２３０で構成されている。そのため、挟持部２００が連結部１００に対して回動可能であり、挟持部２００を連結部１００に対して延出する方向に回動変形することで、石鹸保持具１全体として、扁平であり、かさばらない形状とすることができる（図５（ａ））。また、挟持部２００を内側に折り曲げる方向に回動変形することによって、よりコンパクトな折り畳まれた形状とすることができる（図５（ｂ））。
【００４８】
使用時は、挟持部２００を連結部１００に対して起立する位置に回転させ、長さ調整部１２０によって連結部１００の長さを保持する石鹸５００の長さ（幅）に応じて調整する（図５（ｃ））。そして、挟持部２００によって、石鹸５００を挟み、輪ゴム４００を挟持部２００の凹部２１０にかけることで、石鹸５００を挟む方向に付勢することができる。
【００４９】
このように、本発明によれば、石鹸５００を安定的に保持でき、石鹸５００の形状が徐々に変化しても安定的な保持を持続できるという効果を維持したまま、携行性に優れた石鹸保持具１とすることができる。
【産業上の利用可能性】
【００５０】
本考案に係る石鹸保持具１は、一度装着すれば、使用により石鹸５００の形状が変化した場合にも、常に安定的な保持が可能であることから、産業上の利用可能性は大きいものと思料する。
【符号の説明】
【００５１】
１    石鹸保持具
１００    連結部
１１０    板部
１２０    長さ調整部
２００    挟持部
２１０    凹部
２２０    突起部
２３０    回転部
３００    取手部
４００    輪ゴム
５００    石鹸
Ｈ    手
【図１】
0003208983.tif 000003
【図２】
0003208983.tif 000004
【図３】
0003208983.tif 000005
【図４】
0003208983.tif 000006
【図５】
0003208983.tif 000007